(57)【要約】【課題】不用意に入ることがなく且つ操作力量の軽い発光装置を備えた機器のスイッチ装置の操作部材を提供する。【解決手段】前カバー１４の裏面には操作部材５の移動方向と垂直な係合面が設けられた位置決め突起４４を一体に形成する。前記操作部材５は、前記前カバー１４に設けられた開口４２から露呈する操作部５１と、前記本体基部１３に支持される支持部５２と、前記位置決め突起４４に設けられた係合面と係合可能な位置に当接面が設けられた凸部５４を備えたクリック片５３とによって構成する。前記操作部材５がオフ位置にある時には前記当接面と前記係合面は至近位置で対向するように配置する。前記操作部材５の移動方向への押圧で前記当接面と前記係合面は係合し、この時の前記本体基部方向への押圧力によって前記支持部５２が撓み前記係合が解除されて前記操作部材５が移動可能となる。【選択図】図３
2008116690.tif 000002
【特許請求の範囲】
【請求項１】
光を発する発光部と、該発光部の発光を許可するスライド式の操作部材とを有する発光装置を備えた機器のスイッチ装置において、
前記機器の外装部材の裏面には前記操作部材の移動方向と交差する方向を向いた係合面が設けられた位置決め突起が形成され、
前記操作部材は、前記外装部材に設けられた開口から露呈する操作部と、本体基部にスライド自在に支持される支持部と、前記係合面と係合可能な位置に当接面が設けられたクリック片とを有し、
前記操作部材は前記本体基部方向への押圧力によって前記支持部が撓み前記係合面と前記当接面の係合が解除されて前記操作部材が移動可能となることを特徴とする発光装置付き機器のスイッチ装置。
【請求項２】
前記当接面は前記クリック片に一体に設けられた凸部の側面に位置し、前記凸部の反対側の側面に別の当接面が設けられ、前記位置決め突起は前記係合面の裏側に別の係合面を備え、
前記操作部材がオン位置にある時に、前記操作部材をオフ位置へ移動させる押圧で前記別の当接面と前記別の係合面が係合し、前記本体基部方向への押圧力によって前記支持部が撓み前記係合が解除されて前記操作部材が移動可能となることを特徴とする請求項１記載の発光装置付き機器のスイッチ装置。
【請求項３】
前記発光装置はストロボ装置であり、前記機器はカメラであることを特徴とする請求項１または２記載の発光装置付き機器のスイッチ装置。
【請求項４】
未露光の写真フィルムが装填され露光装置が組みつけられた本体基部と、被写体に向かって光を照射するストロボ装置と、このストロボ装置をオン／オフするスライド式の操作部材と、これらを前面から覆う前カバーとを備えたレンズ付きフイルムユニットにおいて、
前記前カバーの裏面には前記操作部材の移動方向と交差する方向を向いた係合面が設けられた位置決め突起が一体に形成され、
前記操作部材は、前記前カバーに設けられた開口から露呈する操作部と、前記本体基部にスライド自在に支持される支持部と、前記位置決め突起に設けられた係合面と係合可能な位置に設けられた当接面を有するクリック片とによって構成され、
前記操作部材は前記本体基部方向への押圧力によって前記支持部が撓み前記係合面と前記当接面の係合が解除されて前記操作部材が移動可能となることを特徴とするレンズ付きフイルムユニット。
【発明の詳細な説明】
【技術分野】
【０００１】
本発明は、光を発する発光部と該発光部の発光を許可するスライド式の操作部材とを有する発光装置を備えた機器のスイッチ装置に関し、特に、操作力量が軽く、かつ不用意にオンすることのない操作部材を備えた発光装置を備えた機器のスイッチ装置に関するものである。
【背景技術】
【０００２】
発光装置を備えた機器としてレンズ付きフイルムユニットやコンパクトカメラあるいはデジタルカメラなどがある。これらの機器は、ストロボ装置を搭載することによって、暗い室内等でも撮影を行うことができるようにしたものである。このストロボ装置はレンズ付きフイルムユニットやコンパクトカメラに内蔵した電源電池の電圧を高電圧に昇圧してコンデンサを充電し、コンデンサに蓄えた電気エネルギをキセノン管に放電して発光させる装置であり、このストロボ装置を内蔵したレンズ付きフイルムユニットやコンパクトカメラには、撮影時に、発光させるか否かを選択するスイッチが設けられており、その操作部材の操作部が前カバーから露呈している。
【０００３】
このストロボスイッチの操作部材の構造には図６に示すようなものがある。レンズ付きフイルムユニットの本体基部に取り付けられた受け板６３のレール６３ｂ上を操作部材６１が移動する。操作部材６１は操作部６１ａと支持部６１ｂからなり、支持部６１ｂには圧力を受けて撓むクリック片６１ｃが設けられ、クリック片６１ｃの中央部分に凸部６１ｄが形成されている。
【０００４】
一方、受け板６３には突起６３ａが一体に形成されており、前記操作部６１ａを操作して前記操作部材６１をオフ位置からオン位置へ移動させる時、前記凸部６１ｄは、前記クリック片６１ｃを撓ませながら前記突起６３ａを乗り越える。
【０００５】
ここで前記凸部６１ｄと前記突起６３ａの係合量が少ないとレンズ付きフイルムユニットをカバンやポケットに入れて持ち歩いた時に、周囲との摩擦などによって操作部材６１が移動してストロボスイッチがオンとなり、気が付かないうちに電池が消耗してしまうことがある。
【０００６】
そこで前記凸部６１ｄと前記突起６３ａの係合量を大きくすると、前記操作部６１ａを操作する力量が大きくなる。操作力量が大きくなると前記操作部６１ａを押し付ける力が増大し前記支持部６１ｂが撓み、その分前記凸部６１ｄと前記突起６３ａの係合量が増加する。係合量が増えると前記操作力量は更に大きく必要となり、それによって係合量が更に増える悪循環に陥る。
【０００７】
この対策として、図７に示すように凸部６５ｄと突起６７ａを横向きに配置して、凸部６５ｄが突起６７ａを乗り越える時のクリック片６５ｃが撓む方向を、操作部材６５の操作部６５ａが押された時に支持部６５ｂが撓む方向と垂直にすることで、操作部材６５が移動する際の操作力量が支持部６５ｂの撓みの影響を受けないようにしたものがある（下記特許文献１参照）。
【０００８】
【特許文献１】特開２００１−１６３８４０号公報
【発明の開示】
【発明が解決しようとする課題】
【０００９】
しかしながら、図７に示す構成のものも、前述のようにストロボスイッチが不用意に入ることを防止するためには、凸部６５ｄと突起６７ａの係合量を大きくしなければならず、そのために操作力量が大きくなってしまうことは避けられない。
【００１０】
本発明は上記問題点に鑑み、操作部材を背面側に押し付けながらスライド操作しない状態の時は操作部材の凸部と受け板の突起の係合量を大きくし、操作部材を背面側に押し付けながらスライド操作して移動する時には操作部材の凸部と受け板の突起の係合量が小さくなるようにすることで、ストロボスイッチが不用意に入ることを防止し且つ操作力量の軽いストロボ操作部材を提供することを目的とする。
【課題を解決するための手段】
【００１１】
上記目的を達成するために、本発明の発光装置を備えた機器のスイッチ装置は、ストロボスイッチの操作部材の構成を次のようにする。前記機器の外装部材の裏面には前記操作部材の移動方向と交差する方向を向いた係合面が設けられた位置決め突起を一体に形成する。前記操作部材は、前記機器の外装部材に設けられた開口から露呈する操作部と、本体基部に支持される支持部と、前記係合面と係合可能な位置に設けられた当接面を有するクリック片とによって構成する。
【００１２】
前記操作部材がオフ位置にある時には前記当接面と前記係合面は係合可能な至近位置で対向するように配置する。前記操作部材の前記本体基部方向への押圧力によって前記支持部が撓み前記係合が解除されて前記操作部材が移動可能となる。
【発明の効果】
【００１３】
本発明によれば、発光装置を備えた機器のスイッチ装置の操作部材の凸部に設けた垂直な面と前カバーに設けた垂直な面が当接して不用意な移動を防止し、操作部材を操作した時には、操作部を押し付ける方向に働く力によって支持部が撓んで前記垂直な面同士の係合を解除するので、軽い力量でオン／オフする発光装置を備えた機器のスイッチ装置の操作部材を実現することができる。
【発明を実施するための最良の形態】
【００１４】
本発明を実施したレンズ付きフイルムユニット２の正面斜視図を図１に示す。前面には、撮影レンズ３、対物側ファインダ窓４、ストロボ充電用の操作部材５、ストロボ発光部６が設けられている。またレンズ付きフイルムユニット２の上面には、シャッタのレリーズボタン８、フィルムの撮影枚数を残数表示するカウンタ窓９、ストロボ充電表示部材１０が設けられている。
【００１５】
図２に示すように、レンズ付きフイルムユニット２は、本体基部１３と、この本体基部１３を前後から覆うように配置される前カバー１４及び後カバー１５とから構成される。本体基部１３の左右には、カートリッジ室１６及びフィルム収納室１７とが形成されており、フィルムカートリッジ１８及び写真フィルム１９をロール状にしたフィルムロール１９ａとがそれぞれ装填される。カートリッジ室１６の上部には巻上げノブ２０が配置され、この巻上げノブ２０の下部には、フィルムカートリッジ１８のスプールに係合される軸部材が形成されている。この巻上げノブ２０を図中反時計方向に回動させることにより、撮影済の写真フィルム１９がフィルムカートリッジ１８の内部に巻き上げられる。
【００１６】
カートリッジ室１６とフィルムロール室１７との間には暗箱を形成する遮光筒２２が設けられており、この遮光筒２２には、シャッタ機構、フィルム巻止め機構、撮影コマ数をカウントするカウンタ機構、ファインダ等が組み付けられている。また、遮光筒２２の前面中央には露光開口が形成されており、その前面にシャッタ羽根、レンズホルダ２１が取り付けられる。
【００１７】
ストロボ装置２４は、メインコンデンサ２５、ストロボ発光部６、シンクロ接片２７、ストロボスイッチ２８、電池３２の両極を挟み込む一対の電池接片２９等の回路素子が実装されたストロボ基板３０とから構成されている。シンクロ接片２７は、シャッタ機構を構成するシャッタ羽根の回動とともに短絡して、ストロボ発光部６に設けられたストロボ放電管３３（図５参照）を発光させる。ストロボスイッチ２８は、操作部材５の上下方向のスライド操作によりオン／オフする。
【００１８】
図３に示すように、操作部材５は、板状の支持部５２に、前カバー１４に設けられた開口４２から露呈される操作部５１と、ストロボ充電表示部材１０と係合する挟持部５５とが形成されている。操作部５１の表面には手の指の腹で押し付けながら操作部材５を移動させるための凹凸が形成されている。支持部５２の左右の端は、前記フィルム収納室１７の外壁に設けられたガイドレール１７ａと前記遮光筒２２の外壁に設けられたガイドレール２２ａとに支持され、前記操作部５１の操作によりオン位置とオフ位置の間を移動する。
【００１９】
支持部５２には、自身が撓むことを許容するクリック片５３が一体に形成され、クリック片５３の先端には凸部５４が設けられている。前記操作部材５が、前記オン位置とオフ位置の間を移動する時、凸部５４は、前記前カバー１４の裏面に一体に形成された位置決め突起４４を乗り越える。
【００２０】
次に、図４に示す動作説明図にて、前記操作部材５がオフ位置からオン位置へと移動する時の、前記クリック片５３および前記凸部５４と、前記位置決め突起４４の動きについて説明する。（イ）はオフ位置を示す。前記位置決め突起４４には前記操作部材５の移動方向に垂直な係合面４４ａと４４ｂが形成されている。前記凸部５４の前記係合面４４ａと係合可能な至近位置に対向して移動方向と交差する方向を向いた当接面５４ａが形成されており、前記操作部材５が何らかの理由によって移動方向に不用意な外力を受けた時、前記当接面５４ａは前記係合面４４ａに当接する。前記係合面４４ａと前記当接面５４ａは前記操作部材５の移動方向と交差する方向を向いて略垂直に形成されているので、これによって前記クリック片５３が撓むことはなく、前記操作部材５に強い外力が加わったとしても、前記操作部材５が移動することはない。
【００２１】
撮影準備のため、オフ位置にある前記操作部５１を指の腹で押し付けオン位置へ移動させる操作をすると、前記当接面５４ａは前記係合面４４ａに当接し前記操作部材５は移動方向へは動かず、操作部５１に加えられた力のうち前記操作部材５を前記本体基部１３の方向へ押し付ける力によって板状の前記支持部５２が撓み中央部分が前記前カバー１４から離れる方向に動く。それによって中央部付近に設けられたクリック片５３と凸部５４が前記前カバー１４から離れる方向に動き、前記当接面５４ａと前記係合面４４ａの係合が解除され、前記操作部材５はオン位置へと移動する（（ハ）〜（ホ）参照 ）。
【００２２】
前記操作部材５の不用意な移動は撮影中の前記操作部材５への指掛かりなどによってオン位置においても起こり得ることである。そこで（ホ）に示すオン位置においても、前記凸部５４に設けられた当接面５４ｂが前記係合面４４ｂと当接し、前記操作部材５の不用意な移動を阻止している。前記操作部材５がオン位置からオフ位置へ移動する時の前記凸部５４の動きは、前述したオフ位置からオン位置へ移動する時と同様である。
【００２３】
図５に本発明による実施形態であるレンズ付きフイルムユニットに搭載したストロボ装置２４に用いられた回路図を示す。
【００２４】
上記実施形態ではクリック片５３の先端に凸部５４を設け、操作部材５のオン位置からオフ位置への不用意な移動をも防止する構造としたが、オン位置においては不用意にオフ位置へと動いたとしても、電池消耗などの大きな問題は生じないし、なによりもストロボ充電表示部材１０によってオフになったことが直ちに解るので、実質的な問題はない。従って、前記クリック片５３の先端に凸部５４を設けず、前記クリック片５３の先端の面を前記当接面としても差し支えない。
【００２５】
本発明はレンズ付きフイルムユニットに限るものではなく、銀塩写真用のコンパクトカメラやデジタルカメラ、あるいは、非常灯、懐中電灯などの発光装置を備えた機器にも採用することは可能である。
【図面の簡単な説明】
【００２６】
【図１】本発明の実施形態であるレンズ付きフイルムユニットの概観斜視図である。
【図２】図１のレンズ付きフイルムユニットの分解斜視図である。
【図３】操作部材を組付ける前の分解斜視図である。
【図４】操作部材の動作説明図である。
【図５】ストロボの回路図である。
【図６】従来のストロボスイッチの操作部材を示す図である。
【図７】従来の別のストロボスイッチの操作部材を示す図である。
【符号の説明】
【００２７】
５  操作部材
１３  本体基部
１４  前カバー
１７  フィルム収納室
２２  遮光筒
４４  位置決め突起
５１  操作部
５２  支持部
５３  クリック片
５４  凸部
【図１】
2008116690.tif 000003
【図２】
2008116690.tif 000004
【図３】
2008116690.tif 000005
【図４】
2008116690.tif 000006
【図５】
2008116690.tif 000007
【図６】
2008116690.tif 000008
【図７】
2008116690.tif 000009